(57)【要約】   【課題】  水棲生物を水槽等の閉鎖環境で飼育、養殖するに際し、密飼いしても、頻繁な水換えを必要としないで健康的に成長させるための技術を提供する。  【解決手段】  バチルス属に属し、デンプン質、タンパク質または糖質分解性を有する第１の微生物と、バチルス属に属し、繊維質分解性を有する第２の微生物と、バチルス属に属し、脂質分解性を有する第３の微生物と、を含有する水質浄化剤と、キサントモナス属またはシュードモナス属に属し、感染性を有する微生物を含有する免疫力増強剤の少なくとも一方を、所定の間隔で水槽内の水に添加する。  【選択図】  なし【特許請求の範囲】
【請求項１】
バチルス属に属し、デンプン質、タンパク質、糖質の少なくとも一つを分解する性質を有する第１の微生物と、バチルス属に属し、繊維質を分解する性質を有する第２の微生物と、バチルス属に属し、脂質を分解する性質を有する第３の微生物と、を含有する、
水棲生物を飼育または養殖する閉鎖環境の水を浄化するための水質浄化剤。
【請求項２】
前記第１の微生物は、バチルス・サブチルス（Bacillus  Subtils）である、
請求項１記載の水質浄化剤。
【請求項３】
前記第２の微生物は、バチルス・ポリミキサ（Bacillus  Polymyxa）である、
請求項１記載の水質浄化剤。
【請求項４】
前記第３の微生物は、バチルス・リケニホルミス（Bacillus  Licheniformis）である、
請求項１記載の水質浄化剤。
【請求項５】
感染性を有する微生物を含有する、
閉鎖環境で飼育または養殖されている水棲生物の免疫力を高めるための免疫力増強剤。
【請求項６】
前記微生物は、キサントモナス属またはシュードモナス属に属するものであり、
前記キサントモナス属に属する微生物は、キサントモナス・マルトフィリア（Xanthomonas  Maltophilia）であり、
前記シュードモナス属に属する微生物は、シュードモナス・アエルギノーザ（Pseudomonus Aeruginosa)またはシュードモナス・ピュチダ（Pseudomonus Putida）である、
請求項５記載の免疫力増強剤。
【請求項７】
請求項１ないし請求項４のいずれかの項記載の水質浄化剤と、請求項５または請求項６記載の免疫力増強剤の少なくとも一方を、所定の間隔で所定の閉鎖環境の水に添加する、
水棲生物の飼育または養殖方法。
【請求項８】
前記免疫力増強剤の前記閉鎖環境の水への添加は、前記水棲生物が稚魚または幼生である時期から行う、
請求項７記載の水棲生物の飼育または養殖方法。
【発明の詳細な説明】
【技術分野】
【０００１】
本発明は、水棲生物を水槽等の閉鎖環境で飼育、養殖するに際し、密飼いしても、頻繁な水換えを必要としないで健康的に成長させるための技術に関する。
【背景技術】
【０００２】
近年、養殖業者における、マグロやヒラメ等の食用魚、貝類、及び甲殻類等の養殖、または、各家庭等における錦鯉や金魚等の観賞魚の飼育又は繁殖において、水槽、いけす等が使用されている（以下、本発明において、養殖、飼育、繁殖に供される生物を、水棲生物と称する）。
これらの水棲生物は、一般的に、特に稚魚または幼生である時期において免疫機能が発達しておらず、様々な感染症に冒されやすく、死に至ることもある。また、上述のように、水棲生物の養殖、飼育等は水槽等の狭い閉鎖環境で行われる上に、経済的理由から密飼いされることが多いため、そのうちの一匹が感染症に冒されると、全体にその感染症が蔓延しやすい。このようなことが起きると、経済的損失が極めて大きい。
また、水棲生物の排泄物や水槽内に繁殖する藻類等によって、水槽内の水が汚染されることによっても水棲生物は死に至る。
【０００３】
このため、水槽内の水質を所定水準以上に維持する必要がある。水槽内の水質を所定水準以上に維持するためには、水槽内の水を頻繁に交換する作業や、水槽内に付着した藻類を除去する作業が非常に重要となる。
このような作業は、非常に手間がかかり、作業負担が大きい。また、大きなスペースが必要となり、コストがかかる。
【０００４】
このような事情から、閉鎖環境で水棲生物を密飼いしても、水換えを頻繁に必要とせず、水棲生物を健康的に飼育、養殖することができる技術の開発が望まれているが、今のところ、そのような技術は開発されていない。
その理由は、水換えを頻繁にしなければ、水が汚れ、或いは水棲生物に感染症等が発生し易いからである。
【発明の開示】
【発明が解決しようとする課題】
【０００５】
本願発明は、水棲生物を水槽等の閉鎖環境で飼育、養殖するに際し、密飼いしても、頻繁な水換えを必要としないですむようにする技術を提供することを、その目的とする。
【課題を解決するための手段】
【０００６】
上述の目的を達成するため、本願発明は、バチルス属に属し、デンプン質、タンパク質、糖質の少なくとも一つを分解する性質を有する第１の微生物と、バチルス属に属し、繊維質を分解する性質を有する第２の微生物と、バチルス属に属し、脂質を分解する性質を有する第３の微生物と、を含有する、水棲生物を飼育または養殖する閉鎖環境の水を浄化するための水質浄化剤を提供する。
この水質浄化剤によれば、第１の微生物と、第２の微生物と、第３の微生物が前記閉鎖環境で共存し、この閉鎖環境の水棲生物の排泄物、エサの食べ残しを分解するため、閉鎖環境の水が浄化される。より具体的には、水棲生物の排泄物は、主に第１の微生物および第２の微生物により分解され、エサの食べ残しは、主に第１の微生物および第３の微生物により分解される。
このため、閉鎖環境の水を頻繁に交換しなくてもよくなる。場合によっては、水換えが不要となる。
【０００７】
前記第１の微生物は、バチルス属に属し、デンプン質、タンパク質または糖質分解性を有する微生物であれば、どのような微生物であっても構わないが、例えば、バチルス・サブチルス（Bacillus  Subtils）を使用することができる。前記第２の微生物は、バチルス属に属し、繊維質分解性を有する微生物であれば、どのような微生物であっても構わないが、例えば、バチルス・ポリミキサ（Bacillus  Polymyxa）を使用することができる。また、前記第３の微生物は、バチルス属に属し、脂質分解性を有する微生物であれば、どのような微生物であっても構わないが、例えば、バチルス・リケニホルミス（Bacillus  Licheniformis）を使用することができる。
【０００８】
また、本願発明は、感染性を有する微生物を含有する、閉鎖環境で飼育または養殖されている水棲生物の免疫力を高めるための免疫力増強剤を提供する。
この免疫力増強剤を加えた閉鎖環境に水棲生物を置くと、おそらくは免疫力増強剤に含まれる微生物に対する抗体が水棲生物に生じることによりその水棲生物の免疫力が上がり、感染症等の病気を未然に防げるようになるため、水棲生物を水槽等の閉鎖環境で飼育、養殖するに際し、密飼いしても、閉鎖環境の水を頻繁に交換しなくてもよくなる。場合によっては、水換えが不要となる。
なお、上記感染性を有する微生物の感染性は、国際微生物安全基準のクラスIIとすることができる。
【０００９】
本発明で用いる感染性を有する微生物としては、例えば、キサントモナス属に属するもの、或いはシュードモナス属に属するものを用いることができる。キサントモナス属に属する微生物としては、例えば、キサントモナス・マルトフィリア（Xanthomonas  Maltophilia）を、シュードモナス属に属する微生物としては、例えば、シュードモナス・アエルギノーザ（Pseudomonus Aeruginosa)またはシュードモナス・ピュチダ（Pseudomonus Putida）を使用することができる。
上記感染性を有する微生物の他の例としては、シュードモナス・セパシア（Pseudomonas Cepacia）、シュードモナス・プチダ（Pseudomonas Putida）、シュードモナス・フルオレッセンス（Pseudomonas Fluorescens）、シュードモナス・スタッツェリ（Pseudomonas Stutzeri）、シュードモナス・アングィリセブチカ（Pseudomonas Anguilliseptica）、シュードモナス・マルジナリス（Pseudomonas Marginalis）、シュードモナス・ディミイヌタ（Pseudomonas Diminuta）、シュードモナス・ベシクラリス（Pseudomonas Vesicularis）、シュードモナス・アルカリジェネス（Pseudomonas Alcaligenes）、アルカリゲネス・デニトリフォカンス（Alcaligenes Denitrificans）、アルカリゲネス・フェカーリス（Alcaligenes Faecalis）、レジオネラ・ニューモフィラ（Legionella Pneumophila）、フラボバクテリウム・インドロゲネス（Flavobacterium Indologenes）、フラボバクテリウム・メニンゴゼプチカム（Flavobacterium Meningosepticum）、フラボバクテリウム・オドラツゥム（Flavobacterium Odoratum）、アグロモバクタ・キシロスオキシダンス（Achromobacter xylosoxidans）、アエロモナス・ヒドラフィラ（Aeromonas hydrophila）、アエロモナス・サルモニシダ（Aeromonas Salmonicida）、アエロモナス・キャビエ（Aeromonas Caviae）、フレキシバクター・カラムナリス（Flexibacter Columnaris）、スピンゴモナス・スピリチボルウム（Sphingomonas Spiritivorum）、スピンゴモナス・パウチモビリス（Sphingomonas Paucimobilis）、アグロバクテリウム・ラジオバクター（Agrobacterium radiobacter）、スタフィロコッカス・アウレウス（Staphylococcus Aureus）、ステノトロフォモナス・マルトフィリア（Stenotrophomonas Maltophilia）を挙げることができる。
本発明で用いる感染性を有する微生物としては、以上に挙げたものの１種類、或いは複数種類を混合したものを用いることができる。
【００１０】
さらに、本願発明は、上述の水質浄化剤と、免疫力増強剤の少なくとも一方を、所定の間隔で前記閉鎖環境の水に添加する、水棲生物の飼育または養殖方法を提供する。
閉鎖環境の水に、水質浄化剤を添加した場合には、上述のように、閉鎖環境の水が浄化されるため、閉鎖環境の水を頻繁に交換しなくてもよく、飼育する者の負担を軽減することができる。また、閉鎖環境の水に、免疫力増強剤を添加した場合には、上述のように、水棲生物の免疫力を増強することができる。
水質浄化剤と免疫力増強剤は、そのいずれか一方のみを閉鎖環境の水に添加してもよいが、その両方を添加してもよい。
【００１１】
前記免疫力増強剤の前記閉鎖環境の水への添加は、前記水棲生物が稚魚または幼生である時期から行うようにすることができる。
上記のように、水棲生物は、特に稚魚または幼生である時期において免疫機能が発達しておらず、様々な感染症に冒されやすいが、稚魚または幼生である時期から免疫力増強剤が添加された水環境の中に置くと、これに対する抗体ができ、免疫機能を発達させることができるため、感染症に冒されにくくなり、未然に感染を防ぐことができる。
この免疫力増強剤は、もちろん水棲生物が成長してから添加することもできる。
【発明の効果】
【００１２】
本願発明によれば、水槽等の閉鎖環境で養殖等される水棲生物の免疫力を高めることにより、水棲生物の健康維持、増進を図ると共に、この閉鎖環境の水を浄化させることにより、水槽の水の交換や藻類の除去作業の負担を軽減することができる。
【発明を実施するための最良の形態】
【００１３】
以下、本願発明の最良の実施形態について説明する。
＜実施形態＞      
まず、本願発明の水質浄化剤について説明する。この水質浄化剤は、水棲生物を飼育または養殖する水槽内の水を浄化するためのものであり、バチルス属に属し、デンプン質、タンパク質または糖質の少なくとも一つを分解する性質を有する第１の微生物と、バチルス属に属し、繊維質を分解する性質を有する第２の微生物と、バチルス属に属し、脂質を分解する性質を有する第３の微生物と、を含有する。
【００１４】
この第１の微生物は、本実施形態では、バチルス・サブチルスを使用するが、バチルス属に属し、デンプン質、タンパク質または糖質の少なくとも一つを分解する性質を有する微生物であれば、どのような微生物を用いても構わない。
第２の微生物は、本実施形態では、バチルス・ポリミキサを使用するが、バチルス属に属し、繊維質を分解する性質を有する微生物であれば、どのような微生物を用いても構わない。
また、第３の微生物は、本実施形態では、バチルス・リケニホルミスを使用するが、バチルス属に属し、脂質を分解する性質を有する微生物であれば、どのような微生物を用いても構わない。
以上の３つの微生物がそれぞれ有する分解性能を発揮することにより、水槽内の水棲生物のエサの食べ残しや排泄物が分解され、これによって水槽内の水が浄化される。
【００１５】
本実施形態の水質浄化剤は、バチルス・サブチルス、バチルス・ポリミキサ、及びバチルス・リケニホルミスを、籾殻である粉末担体と混合させて、粉剤に製剤化されている。この水質浄化剤は、本実施形態では、粉末担体を含んだ１ｇ中に、これらの微生物が３千万個ないし５０億個存在するように調整されて製剤化されている。製剤化に使用する粉末担体としては、例えば、籾殻と、ゼラチンと、絹フィブロイン粉末等とを混合して使用してもよい。
なお、この水質浄化剤としては、バチルス・サブチルス、バチルス・ポリミキサ、及びバチルス・リケニホルミス（生菌）をそのまま使用してもよいし、適当な液体担体に溶解若しくは分解させて使用してもよい。
また、水質浄化剤は、必要に応じて湿潤剤、乳化剤、安定剤等を添加し、液剤、乳剤、水和剤等に製剤化して使用することもできる。液剤の製剤化に使用する液体担体としては、例えば、水、グルタミン酸ナトリウム水溶液等を使用する。
製剤化方法は、バチルス・サブチルスのデンプン質、タンパク質または糖質分解性、バチルス・ポリミキサの繊維質分解性、バチルス・リケニホルミスの脂質分解性を失わせない限り、特に限定されない。例えば、籾殻に、これらの微生物を培養した培養液を噴霧したものを、瞬間冷凍する。この瞬間冷凍したものを粉砕機によって粉砕したものを水質浄化剤として使用することができる。
【００１６】
以下、本実施形態の水質浄化剤の、水質の浄化作用を調べるために行った実験について、説明する。
【００１７】
人工下水を使用し、この人工下水に本願発明の水質浄化剤を添加した場合と、添加しない場合の生物化学的酸素要求量（Biochemical Oxygen Demand。以下「ＢＯＤ値」という。）について検査した。
人工下水は、蒸留水に、ペプトン６ｇ、肉エキス４ｇ、尿素１ｇ、塩化ナトリウム０．３ｇ、リン酸水素ナトリウム１ｇ、塩化カリウム０．１４ｇ、塩化カルシウム０．１４ｇ、硫酸マグネシウム０．１ｇを溶かして１Ｌとした水溶液を２０倍に希釈し、ＰＨを７．２に調整したものを使用した。
この人工下水２００ｍｌに、浄化槽活性汚泥菌４ｍｌを添加したもの（第１試料）と、人工下水２００ｍｌに、浄化槽活性汚泥菌２ｍｌと水質浄化剤２ｍｌを添加したもの（第２試料）を浸とう培養し、それぞれのＢＯＤ値を測定した。
この測定結果を、表１に示す。表１の（１）は第１試料、（２）は第２試料について示したものである。
この表に示すように、添加する前の人工下水のＢＯＤ値は、それぞれ６４０ｍｇ／Ｌである。添加後の第１試料及び第２試料の、一日目のＢＯＤ値は、それぞれ１１０ｍｇ／Ｌ（除去率８２．８％）、８４ｍｇ／Ｌ（除去率８６．９％）であり、三日目のＢＯＤ値は、それぞれ７６ｍｇ／Ｌ（除去率８８．１％）、６６ｍｇ／Ｌ（除去率８９．７％）である。
【００１８】
【表１】
2005058137.tif 000002
【００１９】
以上から、本願発明の水質浄化剤を添加した方が、よりＢＯＤ値が小さくなり、この水質浄化剤によって水質が浄化されていることが確認された。  
【００２０】
また、合成下水と動植物性油脂類を使用し、この動植物性油脂類を入れた合成下水に本願発明の水質浄化剤を添加し、油脂の濃度と細菌数を調べることにより、水質浄化剤の油脂類の分解性能について検査した。
まず、合成下水は、水道水１Ｌに、肉エキス２５０ｍｇ、ペプトン３７５ｍｇ、ＮａＨＣＯ３１０５ｍｇ、ＮａＣｌ３７．５ｍｇ、ＫＣｌ１７．５ｍｇ、ＣａＣｌ２１７．５ｍｇ、ＭｇＣＯ４・７Ｈ２Ｏ１２．５ｍｇを溶かしたものを使用した。
この合成下水３００ｍｌに、動物性油脂であるトンカツ油０．１ｇ（油脂分として３００ｐｐｍに相当する。）を加え、本願発明の水質浄化剤２ｍｌを添加し、室温（３０℃）で３日間浸とう培養を行った。
この結果、合成下水の初期の細菌数が、１．６×１０５であるのに対し、３日後の細菌数は、６．３×１０８となった。
また、３日後の油脂量は、７２ｐｐｍとなり、７６％の油脂が除去された。
【００２１】
次に、上述の合成下水３００ｍｌに、植物性油脂であるオリーブ油１００ｍｇ（油脂分として１０００ｐｐｍに相当する。）を加え、本願発明の水質浄化剤３０ｍｌを添加し、室温（３０℃）で３日間、１２０ｒｐｍで回転浸とう培養を行った。
この結果、合成下水の初期の菌体濃度が、０．１５であるのに対し、３日後の菌体濃度は、３．０５となった。
また、３日後、９３．７％の油脂が除去された。
さらに、有機物濃度（ＴＯＣ）は、初期１１６０ｐｐｍであるのに対し、３日後には４６６ｐｐｍとなり、６０％の有機物が除去された。
【００２２】
以上から、本願発明の水質浄化剤を添加すると、微生物が増殖すると共に油脂類や有機物が分解されることが確認された。
【００２３】
次に、本願発明の免疫力増強剤について説明する。この免疫力増強剤は、水槽内で飼育または養殖されている水棲生物の免疫力を高めるためのであり、キサントモナス属またはシュードモナス属に属し、感染性を有する微生物を含有する。
【００２４】
これには限られないが、この実施形態の免疫力増強剤に加える微生物は、キサントモナス属またはシュードモナス属に属するものとされている。より詳細には、キサントモナス属に属する微生物として、例えば、キサントモナス・マルトフィリアを、シュードモナス属に属する微生物として、シュードモナス・アエルギノーザ、及びシュードモナス・ピュチダを使用することとしている。
本実施形態では、免疫力増強剤に含有される微生物として、キサントモナス属に属する微生物である、キサントモナス・マルトフィリアを使用するが、キサントモナス属またはシュードモナス属に属しており、感染性を有する微生物であれば、どのような微生物であっても構わない。
【００２５】
このキサントモナス・マルトフィリアは、国際微生物安全基準のクラスIIの感染性を有する、グラム陰性の棹菌である。また、運動能力を有し、好気条件下に生息する、非発酵性細菌である。
【００２６】
なお、本実施形態の免疫力増強剤は、キサントモナス・マルトフィリア、シュードモナス・プチダ、シュードモナス・アエルギノーサを、上述の水質浄化剤と同様に籾殻である粉末担体と混合させて、粉剤に製剤化されている。この免疫力増強剤は、本実施形態では、粉末担体を含んだ１ｇ中に、上記三種の微生物が合計で１０億個ないし１００億個存在するように調整されて製剤化されている。製剤化に使用する粉末担体としては、例えば、籾殻と、ゼラチン、絹フィブロイン粉末等とを混合して使用してもよい。
製剤化方法は、キサントモナス・マルトフィリアその他の微生物の感染性を失わせない限り、特に限定されない。例えば、籾殻に、これらの微生物を培養した培養液を噴霧したものを、瞬間冷凍する。この瞬間冷凍したものを粉砕機によって粉砕したものを免疫力増強剤として使用することができる。
また、免疫力増強剤は、必要に応じて湿潤剤、乳化剤、安定剤等を添加し、液剤、乳剤、水和剤等に製剤化して使用することもできる。液剤の製剤化に使用する液体担体としては、例えば、水、グルタミン酸ナトリウム水溶液等を使用する。
また、この水質浄化剤は、バチルス・サブチルス、バチルス・ポリミキサ、及びバチルス・リケニホルミスなどの生菌そのままであってもよい。
なお、本実施形態の免疫力増強剤に加える微生物として、上記感染性を有する微生物の他の例としては、シュードモナス・セパシア（Pseudomonas Cepacia）、シュードモナス・プチダ（Pseudomonas Putida）、シュードモナス・フルオレッセンス（Pseudomonas Fluorescens）、シュードモナス・スタッツェリ（Pseudomonas Stutzeri）、シュードモナス・アングィリセブチカ（Pseudomonas Anguilliseptica）、シュードモナス・マルジナリス（Pseudomonas Marginalis）、シュードモナス・ディミイヌタ（Pseudomonas Diminuta）、シュードモナス・ベシクラリス（Pseudomonas Vesicularis）、シュードモナス・アルカリジェネス（Pseudomonas Alcaligenes）、アルカリゲネス・デニトリフォカンス（Alcaligenes Denitrificans）、アルカリゲネス・フェーカリス（Alcaligenes Faecalis）、レジオネラ・ニューモフィラ（Legionella Pneumophila）、フラボバクテリウム・インドロゲネス（Flavobacterium Indologenes）、フラボバクテリウム・メニンゴゼプチカム（Flavobacterium Meningosepticum）、フラボバクテリウム・オドラツゥム（Flavobacterium Odoratum）、アグロモバクタ・キシロスオキシダンス（Achromobacter xylosoxidans）、アエロモナス・ヒドラフィラ（Aeromonas hydrophila）、アエロモナス・サルモニシダ（Aeromonas Salmonicida）、アエロモナス・キャビエ（Aeromonas Caviae）、フレキシバクター・カラムナリス（Flexibacter Columnaris）、スピンゴモナス・スピリチボルウム（Sphingomonas Spiritivorum）、スピンゴモナス・パウチモビリス（Sphingomonas Paucimobilis）、アグロバクテリウム・ラジオバクター（Agrobacterium radiobacter）、スタフィロコッカス・アウレウス（Staphylococcus Aureus）、ステノトロフォモナス・マルトフィリア（Stenotrophomonas Maltophilia）の一つ以上を用いることもできる。
【００２７】
次に、以上説明した本実施形態の水質浄化剤と免疫力増強剤とを、所定の間隔で水棲生物を飼育または養殖する水槽内の水に添加して、水棲生物を飼育または養殖する方法について説明する。
本実施形態では、飼育する水棲生物がランチュウである場合について説明するが、その他の水棲生物であっても構わない。また、本実施形態では、水質浄化剤と免疫力増強剤の両者を添加する場合について説明するが、どちらか一方のみを添加してもよい。
【００２８】
最初に、ふ化したばかりのランチュウの稚魚を飼育する水槽内の飼育水に、所定の間隔で本実施形態の水質浄化剤と免疫力増強剤とを添加して飼育する場合について説明する。
【００２９】
ふ化して数日後のランチュウの稚魚が密飼いされている水槽内の飼育水に、まず水質浄化剤を添加する。本実施形態では、縦１２００ｍｍ×横１０００ｍｍ×深さ１８０ｍｍの水槽内に水を９０Ｌ入れ、その中で、ランチュウの稚魚約１５００匹が飼育されている。飼育水の水温は、２３℃を維持するようにする。
その翌日から、毎日一回の割合で、水質浄化剤と免疫力増強剤とを添加する。
これらの量は、これには限られないが、本実施形態では、水１Ｌに対して、０．０１ｇの割合で添加する。
【００３０】
水質浄化剤と免疫力増強剤の、水槽内の飼育水への添加は、以下のように行う。
添加する所定量の水質浄化剤と免疫力増強剤の粉末体を、ぬるま湯を入れたそれぞれの容器内に入れてよく攪拌し、３０分程度放置する。
このぬるま湯の温度は、本実施形態では、３０℃程度とするが、これには限られない。
そして、水質浄化剤と免疫力増強剤の粉末体を溶かしたぬるま湯を、水槽内に投入し、飼育水へ添加する。
なお、投入は、微生物の活性の衰えを考慮し、水質浄化剤と免疫力増強剤の粉末体を溶かしてから３時間以内に行う。
【００３１】
水槽内の飼育水が、新水の場合には、水質浄化剤及び免疫力増強剤に含まれる微生物のエサとなるデンプン質、繊維質、脂質等が少ないため、青水を足したり、水槽に入れる稚魚の数を増やして排泄物の量を多くしたり、牛糞を少量投入するとよい。
微生物が活性化すると、水槽内の水は青みがかった茶褐色となり、エアレーションの泡は虹色となる。
なお、本発明の水質浄化剤および免疫力増強剤に含まれる微生物は、全て好気性菌であるため、水槽のエアレーションは強めにする。
また、水槽の水温は、本発明の水質浄化剤および免疫力増強剤に含まれる微生物の生育条件より、常に１０℃以上を保つようにする。
【００３２】
このように、水質浄化剤と免疫力増強剤を飼育水に添加して飼育すれば、水質浄化剤によって、飼育水中のランチュウの稚魚のエサの食べ残しや排泄物が分解されて、飼育水が浄化されるため、飼育水の交換や藻類を除去する作業負担を軽減することができる。
また、免疫力増強剤によって、ランチュウの稚魚の免疫力が増強され、ランチュウの稚魚がかかりやすいヘルペス等の細菌性の感染症を予防することができ、ランチュウの稚魚の健康維持、増進を図ることができ、健康的に育て上げることができる。
【００３３】
本実施形態では、ランチュウの稚魚がふ化してから約２ヵ月の間は、水換えをせず、足し水のみを行った。その後、半月毎に飼育水の３分の１程度の水を換えるようにした。
このような飼育環境の下、ふ化してから約１ヵ月後の稚魚は一匹も死んでおらず、体長約２ｃｍとなった。所定の間隔で選別を行いながら飼育を行い、ふ化してから約２ヵ月半後には、体長約６ｃｍとなった。さらにふ化してから約３ヵ月後には、体長約７．５ｃｍのランチュウに成長した。
【００３４】
なお、水質浄化剤、免疫力増強剤を添加してランチュウの稚魚を飼育している飼育水を、これらを添加せずにランチュウの成魚を飼育している水槽内に入れたところ、その翌日に、その水槽内の成魚全てに、エラ病、尾腐れ病、白点病が発症した。
このことは、水質浄化剤、免疫力増強剤を添加してランチュウの稚魚を飼育している飼育水には、病原菌が発生していることを示している。また、病原菌が発生しているにも関わらず、その中でランチュウの稚魚が健康な状態で発育していることを示している。以上のことから、本願発明の免疫力増強剤には、稚魚の免疫力を増強し、感染症を予防する効果が充分にあることが分かる。
【００３５】
表２は、水質浄化剤、免疫力増強剤を添加した飼育水Ａと、添加していない飼育水Ｂの各種値を示したものである。
【表２】
2005058137.tif 000003
【００３６】
この表によれば、水質浄化剤、免疫力増強剤を添加した飼育水Ａは、これらを添加していない飼育水Ｂに比べて、窒素値、全りん値、ＢＯＤ値が非常に高いことが分かる。
このことは、水質浄化剤、免疫力増強剤を添加した飼育水Ａの水中に、常に高い栄養価が存在することを意味しており、ランチュウが大きく育つ可能性があることを示している。
しかし、作物に肥料を与えすぎると枯れてしまうように、これらの数値が所定以上になると、ランチュウに過大な負担がかかり、通常は死に至る可能性が高いが、この飼育水によれば、水質浄化剤が、適度に水中の窒素値、ＢＯＤ値等をコントロールし、かつ、免疫力増強剤によって水棲生物の免疫力が高まっているため、密飼いしても、水棲生物を健康的に飼育することができる。
また、この表によれば、水質浄化剤、免疫力増強剤を添加した飼育水Ａは、これらを添加していない飼育水Ｂに比べて、アンモニア性窒素値が非常に高いことが分かる。通常、このような数値下では、アンモニア性窒素が毒となり、特に稚魚の場合、死に至る可能性が高いが、このような高い数値下において密飼いしても、ランチュウの稚魚は健康な状態で発育する。これは、免疫力増強剤によって、ランチュウの稚魚に免疫力がついているためである。
なお、この表によれば、水質浄化剤、免疫力増強剤を添加した飼育水Ａと、これらを添加していない飼育水Ｂとは化学的酸素要求量（Chemical Oxygen Demand。以下、ＣＯＤ値）について、同値である。このことは、水質浄化剤、免疫力増強剤を添加した飼育水Ａに薬品等が一切入れられていないことを示している（薬品等が入れられると、ＣＯＤ値が高くなる）。
【００３７】
次に、ランチュウの成魚を飼育する水槽内の飼育水に、所定の間隔で本願発明の水質浄化剤と免疫力増強剤とを添加して飼育する場合について説明する。
【００３８】
上述のように、水質浄化剤、免疫力増強剤を添加せずにランチュウの成魚を飼育している水槽内に、いきなりこれらを添加すると、これらに対する免疫力がないランチュウの成魚は感染症にかかってしまう。
よって、成魚になってから初めて水質浄化剤、免疫力増強剤を使用する場合には、ランチュウを薬浴させてから、飼育水にこれらを添加するようにする。薬浴に使用する薬剤は、例えば、市販されている観賞魚用の抗菌製剤を使用することができる。
成魚の場合も稚魚と同じように、毎日一回の割合で、水質浄化剤と免疫力増強剤とを添加する。これらの添加の量は、本実施形態では、水１Ｌに対して、０．０１ｇの割合で添加すればよい。